(57)【要約】【課題】  プロセスコントロールの実行制限をより容易に行なう。【解決手段】  受け付けた印刷ジョブがトナーセーブモードや裏紙印刷モード，速度優先モードとして設定されているときにはプロセスコントロールの実行条件として制限用条件を設定し（Ｓ２００〜Ｓ２４０）、これらのモードとして設定されていないときには通常用条件を設定し（Ｓ２５０）、印刷ジョブの実行が完了するまで待機する（Ｓ２６０）。制限用条件は通常用条件より成立し難い条件として設定されている。こうすることにより、印刷ジョブがトナーセーブモードや裏紙印刷モード，速度優先モードであるときには印刷ジョブの実行が完了するまでプロセスコントロールの実行を制限することができる。即ち、印刷ジョブの内容に基づいてプロセスコントロールの実行を制限することができ、この結果、プロセスコントロールの実行制限をより容易に行なうことができる。【選択図】        図４
2006010975.tif 000002
【特許請求の範囲】
【請求項１】
印刷ジョブを実行して紙などの記録媒体に画像を形成する画像形成装置であって、
所定条件が成立したときに、形成される画像の画質を調整するためのプロセスコントロールを実行するプロコン実行手段と、
実行する印刷ジョブに設定されている画質に関する画質設定情報に基づいてプロセスコントロールの実行を制限するか否かを判定する判定手段と、
該判定によりプロセスコントロールの実行を制限すると判定されたときには少なくとも前記印刷ジョブの実行が完了するまで前記所定条件の成立に拘らず前記プロコン実行手段によるプロセスコントロールの実行を制限するプロコン制限手段と、
を備える画像形成装置。
【請求項２】
請求項１記載の画像形成装置であって、
前記判定手段は、実行する印刷ジョブ毎にプロセスコントロールの実行を制限するか否かを判定する手段であり、
前記プロコン制限手段は、前記判定によりプロセスコントロールの実行を制限すると判定された印刷ジョブの直前の印刷ジョブの実行が完了してから該制限すると判定された印刷ジョブの実行が完了するまで前記プロコン実行手段によるプロセスコントロールの実行を制限する手段である、
画像形成装置。
【請求項３】
前記プロコン制限手段は、前記判定によりプロセスコントロールの実行を制限すると判定されたときには前記印刷ジョブの実行が完了するまで前記プロコン実行手段によるプロセスコントロールの実行を制限し、さらに、該印刷ジョブの実行が完了したときに次に実行する印刷ジョブが存在しないときには所定時間経過するまで前記プロコン実行手段によるプロセスコントロールの実行を制限する手段である請求項１または２記載の画像形成装置。
【請求項４】
前記プロコン制限手段は、前記所定条件より成立し難い制限用条件が成立したときにプロセスコントロールが実行されるように前記プロコン実行手段によるプロセスコントロールの実行を制限する手段である請求項１ないし３いずれか記載の画像形成装置。
【請求項５】
前記制限用条件は、常に成立しない条件である請求項４記載の画像形成装置。
【請求項６】
請求項４または５記載の画像形成装置であって、
前記所定条件は、プロセスコントロールの前回実行時からの画像形成累積枚数が第１の所定枚数に達していることを条件の一つとして含み、
前記制限用条件は、前記画像形成累積枚数が前記第１の所定枚数より多い第２の所定枚数に達していることを条件の一つとして含む、
画像形成装置。
【請求項７】
前記制限用条件の内容をユーザにより設定可能な制限用条件設定手段を備える請求項４ないし６いずれか記載の画像形成装置。
【請求項８】
請求項１ないし７いずれか記載の画像形成装置であって、
前記画質設定情報は、トナーセーブモードであるか否かを示す情報を含み、
前記判定手段は、前記画質設定情報がトナーセーブモードであるときにはプロセスコントロールの実行を制限すると判定する手段である、
画像形成装置。
【請求項９】
請求項１ないし８いずれか記載の画像形成装置であって、
前記画質設定情報は、裏紙印刷であるか否かを示す情報を含み、
前記判定手段は、前記画質設定情報が裏紙印刷であるときにはプロセスコントロールの実行を制限すると判定する手段である、
画像形成装置。
【請求項１０】
請求項１ないし９いずれか記載の画像形成装置であって、
前記画質設定情報は、速度優先であるか否かを示す情報を含み、
前記判定手段は、前記画質設定情報が速度優先であるときにはプロセスコントロールの実行を制限すると判定する手段である、
画像形成装置。
【請求項１１】
印刷ジョブを実行して紙などの記録媒体に画像を形成し、形成される画像の画質を調整するためのプロセスコントロールを所定条件が成立したときに実行するプロコン実行手段を備える画像形成装置の制御方法であって、
（ａ）実行する印刷ジョブに設定されている画質に関する画質設定情報に基づいてプロセスコントロールの実行を制限するか否かを判定し、
（ｂ）該判定によりプロセスコントロールの実行を制限すると判定されたときには少なくとも前記印刷ジョブの実行が完了するまで前記所定条件の成立に拘らず前記プロコン実行手段によるプロセスコントロールの実行を制限する、
画像形成装置の制御方法。
【請求項１２】
印刷ジョブを送信する印刷ジョブ送信装置と、該送信された印刷ジョブを実行して紙などの記録媒体に画像を形成し形成される画像の画質を調整するためのプロセスコントロールを所定条件が成立したときに実行するプロコン実行手段を備える画像形成装置と、を備える画像形成システムであって、
前記印刷ジョブ送信装置は、送信する印刷ジョブに設定されている画質に関する画質設定情報に基づいて前記画像形成装置によるプロセスコントロールの実行を制限するか否かを判定する判定手段と、該判定によりプロセスコントロールの実行を制限しないと判定されたときには前記印刷ジョブを前記画像形成装置に送信し該判定によりプロセスコントロールの実行を制限すると判定されたときには前記画像形成装置によるプロセスコントロールの実行を制限するためのプロコン制限用情報を伴って前記印刷ジョブを前記画像形成装置に送信する印刷ジョブ送信手段と、を備え、
前記画像形成装置は、前記印刷ジョブ送信装置の印刷ジョブ送信手段により送信された印刷ジョブを受信する印刷ジョブ受信手段と、該受信した印刷ジョブに前記プロコン制限用情報が伴うときには少なくとも該印刷ジョブの実行が完了するまで前記所定条件の成立に拘らず前記プロコン実行手段によるプロセスコントロールの実行を制限するプロコン制限手段と、を備える、
画像形成システム。
【請求項１３】
通信線を介して接続された画像形成装置へ印刷ジョブを送信する印刷ジョブ送信装置であって、
送信する印刷ジョブに設定されている画質に関する画質設定情報に基づいて前記画像形成装置によるプロセスコントロールの実行を制限するか否かを判定する判定手段と、
該判定によりプロセスコントロールの実行を制限しないと判定されたときには前記印刷ジョブを前記画像形成装置に送信し該判定によりプロセスコントロールの実行を制限すると判定されたときには前記画像形成装置によるプロセスコントロールの実行を制限するためのプロコン制限用情報を伴って前記印刷ジョブを前記画像形成装置に送信する印刷ジョブ送信手段と、
を備える印刷ジョブ送信装置。
【請求項１４】
コンピュータを、通信線を介して接続された画像形成装置へ印刷ジョブを送信する印刷ジョブ送信装置として機能させるプログラムであって、
送信する印刷ジョブに設定されている画質に関する画質設定情報に基づいて前記画像形成装置によるプロセスコントロールの実行を制限するか否かを判定する判定モジュールと、
該判定によりプロセスコントロールの実行を制限しないと判定されたときには前記印刷ジョブを前記画像形成装置に送信し該判定によりプロセスコントロールの実行を制限すると判定されたときには前記画像形成装置によるプロセスコントロールの実行を制限するためのプロコン制限用情報を伴って前記印刷ジョブを前記画像形成装置に送信する印刷ジョブ送信モジュールと、
を備える印刷ジョブ送信装置用プログラム。
【発明の詳細な説明】
【技術分野】
【０００１】
本発明は、画像形成装置およびこの制御方法、画像形成システム並びに印刷ジョブ送信装置、これに用いるプログラムに関する。
【背景技術】
【０００２】
従来、この種の画像形成装置としては、電源投入時や省エネモードからの復帰時などに実施されるプロセスコントロールを省略することにより、印刷出力までの時間を短縮するものが提案されている（例えば、特許文献１参照）。この装置では、予め画像形成装置上で速度優先か画質優先かを設定しておくことにより、プロセスコントロールの省略の可否を判断している。
【特許文献１】特開２００３−３４５１８０号公報
【発明の開示】
【発明が解決しようとする課題】
【０００３】
しかしながら、上述の画像形成装置では、プロセスコントロールを省略するためには、画像形成装置の管理者などにより予め速度優先か画質優先かを設定しておく必要が生じてしまう。また、こうした装置をネットワーク上で共用する場合などには、多様な印刷物が印刷されることになるから速度優先か画質優先かを一律に決定することは難しい。さらに、電源投入時や省エネモードからの復帰時以外でも、複数の印刷物を長時間連続して印刷する場合などには、プロセスコントロールが頻繁に実行されると印刷出力までの時間が増大してしまう。
【０００４】
本発明の画像形成装置およびこの制御方法、画像形成システム並びに印刷ジョブ送信装置、これに用いるプログラムは、プロセスコントロールの実行制限をより容易に行なうことを目的の一つとする。また、本発明の画像形成装置およびこの制御方法、画像形成システム並びに印刷ジョブ送信装置、これに用いるプログラムは、印刷ジョブの内容に応じてプロセスコントロールの実行を制限することを目的の一つとする。
【課題を解決するための手段】
【０００５】
本発明の画像形成装置およびこの制御方法、画像形成システム並びに印刷ジョブ送信装置、これに用いるプログラムは、上述の目的の少なくとも一部を達成するために以下の手段を採った。
【０００６】
本発明の画像形成装置は、
印刷ジョブを実行して紙などの記録媒体に画像を形成する画像形成装置であって、
所定条件が成立したときに、形成される画像の画質を調整するためのプロセスコントロールを実行するプロコン実行手段と、
実行する印刷ジョブに設定されている画質に関する画質設定情報に基づいてプロセスコントロールの実行を制限するか否かを判定する判定手段と、
該判定によりプロセスコントロールの実行を制限すると判定されたときには少なくとも前記印刷ジョブの実行が完了するまで前記所定条件の成立に拘らず前記プロコン実行手段によるプロセスコントロールの実行を制限するプロコン制限手段と、
を備えることを要旨とする。
【０００７】
この本発明の画像形成装置では、実行する印刷ジョブに設定されている画質設定情報に応じてプロセスコントロールの実行を制限するか否かを判定し、実行を制限すると判定されたときには少なくとも印刷ジョブの実行が完了するまでプロセスコントロールの実行を制限する。したがって、実行する印刷ジョブの画質設定情報に応じてプロセスコントロールの実行を制限することができる。この結果、プロセスコントロールの実行制限をより容易に行なうことができる。もとより、プロセスコントロールの実行を制限することにより、印刷完了までの時間短縮を図ると共に記録剤の消費や部品の劣化などを抑制することができる。ここで「プロセスコントロール」とは、形成される画像の画質を調整するために画像形成プロセスの各種条件を調整する動作を意味し、例えば、電子写真方式の画像形成プロセスにおいて、感光体などの像担持体に形成したトナー像の濃度を検出すると共に検出した濃度に基づいて現像バイアスや帯電電位などを調整する動作などを挙げることができる。
【０００８】
こうした本発明の画像形成装置において、前記判定手段は実行する印刷ジョブ毎にプロセスコントロールの実行を制限するか否かを判定する手段であり、前記プロコン制限手段は前記判定によりプロセスコントロールの実行を制限すると判定された印刷ジョブの直前の印刷ジョブの実行が完了してから該制限すると判定された印刷ジョブの実行が完了するまで前記プロコン実行手段によるプロセスコントロールの実行を制限する手段であるものとすることもできる。こうすれば、直前の印刷ジョブが完了してからプロセスコントロールの実行を制限すると判定された印刷ジョブの実行が完了するまでプロセスコントロールの実行を制限することができる。この結果、印刷ジョブを連続して実行する際のプロセスコントロールの実行制限をより適切に行なうことができる。
【０００９】
また、本発明の画像形成装置において、前記プロコン制限手段は、前記判定によりプロセスコントロールの実行を制限すると判定されたときには前記印刷ジョブの実行が完了するまで前記プロコン実行手段によるプロセスコントロールの実行を制限し、さらに、該印刷ジョブの実行が完了したときに次に実行する印刷ジョブが存在しないときには所定時間経過するまで前記プロコン実行手段によるプロセスコントロールの実行を制限する手段であるものとすることもできる。こうすれば、次に実行する印刷ジョブが存在しないときには印刷ジョブの実行が完了してから所定時間経過するまでプロセスコントロールの実行を制限することができる。この結果、プロセスコントロールの実行を制限すると判定される複数の印刷ジョブが間隔を空けて実行される場合であっても、所定時間より短い間隔であれば連続してプロセスコントロールの実行を制限することができる。
【００１０】
また、本発明の画像形成装置において、前記プロコン制限手段は、前記所定条件より成立し難い制限用条件が成立したときにプロセスコントロールが実行されるように前記プロコン実行手段によるプロセスコントロールの実行を制限する手段であるものとすることもできる。こうすれば、所定条件より成立し難い制限用条件が成立したときにプロセスコントロールが実行されるようにすることにより、プロセスコントロールの実行を制限することができる。この態様の本発明の画像形成装置において、前記制限用条件は常に成立しない条件であるものとすることもできる。こうすれば、プロセスコントロールの実行を制限すると判定されたときにはプロセスコントロールを実行しないようにすることができる。
【００１１】
この態様の本発明の画像形成装置において、前記所定条件はプロセスコントロールの前回実行時からの画像形成累積枚数が第１の所定枚数に達していることを条件の一つとして含み、前記制限用条件は前記画像形成累積枚数が前記第１の所定枚数より多い第２の所定枚数に達していることを条件の一つとして含むものとすることもできる。こうすれば、画像形成累積枚数に関する条件を成立し難くすることによりプロセスコントロールの実行を制限することができる。
【００１２】
この態様の本発明の画像形成装置において、前記制限用条件の内容をユーザにより設定可能な制限用条件設定手段を備えるものとすることもできる。こうすれば、ユーザにより制限用条件の内容を設定できるようにすることができる。この結果、ユーザは、プロセスコントロールの実行の制限の程度を変更することができる。
【００１３】
さらに、本発明の画像形成装置において、前記画質設定情報はトナーセーブモードであるか否かを示す情報を含み、前記判定手段は前記画質設定情報がトナーセーブモードであるときにはプロセスコントロールの実行を制限すると判定する手段であるものとしたり、前記画質設定情報は裏紙印刷であるか否かを示す情報を含み、前記判定手段は前記画質設定情報が裏紙印刷であるときにはプロセスコントロールの実行を制限すると判定する手段であるものとしたり、前記画質設定情報は速度優先であるか否かを示す情報を含み、前記判定手段は前記画質設定情報が速度優先であるときにはプロセスコントロールの実行を制限すると判定する手段であるものとすることもできる。こうすれば、トナーセーブモードや裏紙印刷，速度優先の設定内容に応じてプロセスコントロールの実行を制限することができる。
【００１４】
本発明の画像形成装置の制御方法は、
印刷ジョブを実行して紙などの記録媒体に画像を形成し、形成される画像の画質を調整するためのプロセスコントロールを所定条件が成立したときに実行するプロコン実行手段を備える画像形成装置の制御方法であって、
（ａ）実行する印刷ジョブに設定されている画質に関する画質設定情報に基づいてプロセスコントロールの実行を制限するか否かを判定し、
（ｂ）該判定によりプロセスコントロールの実行を制限すると判定されたときには少なくとも前記印刷ジョブの実行が完了するまで前記所定条件の成立に拘らず前記プロコン実行手段によるプロセスコントロールの実行を制限する、
ことを要旨とする。
【００１５】
この本発明の画像形成装置の制御方法では、実行する印刷ジョブに設定されている画質設定情報に応じてプロセスコントロールの実行を制限するか否かを判定し、実行を制限すると判定されたときには少なくとも印刷ジョブの実行が完了するまでプロセスコントロールの実行を制限する。したがって、実行する印刷ジョブの画質設定情報に応じてプロセスコントロールの実行を制限することができる。この結果、プロセスコントロールの実行制限をより容易に行なうことができる。もとより、プロセスコントロールの実行を制限することにより、印刷完了までの時間短縮を図ると共に記録剤の消費や部品の劣化などを抑制することができる。
【００１６】
本発明の画像形成システムは、
印刷ジョブを送信する印刷ジョブ送信装置と、該送信された印刷ジョブを実行して紙などの記録媒体に画像を形成し形成される画像の画質を調整するためのプロセスコントロールを所定条件が成立したときに実行するプロコン実行手段を備える画像形成装置と、を備える画像形成システムであって、
前記印刷ジョブ送信装置は、送信する印刷ジョブに設定されている画質に関する画質設定情報に基づいて前記画像形成装置によるプロセスコントロールの実行を制限するか否かを判定する判定手段と、該判定によりプロセスコントロールの実行を制限しないと判定されたときには前記印刷ジョブを前記画像形成装置に送信し該判定によりプロセスコントロールの実行を制限すると判定されたときには前記画像形成装置によるプロセスコントロールの実行を制限するためのプロコン制限用情報を伴って前記印刷ジョブを前記画像形成装置に送信する印刷ジョブ送信手段と、を備え、
前記画像形成装置は、前記印刷ジョブ送信装置の印刷ジョブ送信手段により送信された印刷ジョブを受信する印刷ジョブ受信手段と、該受信した印刷ジョブに前記プロコン制限用情報が伴うときには少なくとも該印刷ジョブの実行が完了するまで前記所定条件の成立に拘らず前記プロコン実行手段によるプロセスコントロールの実行を制限するプロコン制限手段と、を備える、
ことを要旨とする。
【００１７】
この本発明の画像形成システムでは、印刷ジョブ送信装置により、送信する印刷ジョブに設定されている画質設定情報に応じてプロセスコントロールの実行を制限するか否かを判定し、実行を制限すると判定されたときにはプロセスコントロールの実行を制限するためのプロコン制限用情報を伴って印刷ジョブを送信し、画像形成装置では、受信した印刷ジョブにプロコン制限用情報が伴うときには少なくとも印刷ジョブの実行が完了するまでプロセスコントロールの実行を制限する。したがって、印刷ジョブの画質設定情報に応じてプロセスコントロールの実行を制限することができる。この結果、プロセスコントロールの実行制限をより容易に行なうことができる。もとより、プロセスコントロールの実行を制限することにより、印刷完了までの時間短縮を図ると共に記録剤の消費や部品の劣化などを抑制することができる。
【００１８】
本発明の印刷ジョブ送信装置は、
通信線を介して接続された画像形成装置へ印刷ジョブを送信する印刷ジョブ送信装置であって、
送信する印刷ジョブに設定されている画質に関する画質設定情報に基づいて前記画像形成装置によるプロセスコントロールの実行を制限するか否かを判定する判定手段と、
該判定によりプロセスコントロールの実行を制限しないと判定されたときには前記印刷ジョブを前記画像形成装置に送信し該判定によりプロセスコントロールの実行を制限すると判定されたときには前記画像形成装置によるプロセスコントロールの実行を制限するためのプロコン制限用情報を伴って前記印刷ジョブを前記画像形成装置に送信する印刷ジョブ送信手段と、
を備えることを要旨とする。
【００１９】
この本発明の印刷ジョブ送信装置では、送信する印刷ジョブに設定されている画質設定情報に応じてプロセスコントロールの実行を制限するか否かを判定し、実行を制限すると判定されたときにはプロセスコントロールの実行を制限するためのプロコン制限用情報を伴って印刷ジョブを画像形成装置に送信する。したがって、印刷ジョブの画質設定情報に応じてプロセスコントロールの実行の制限を画像形成装置に指示することができる。この結果、プロセスコントロールの実行制限をより容易に行なうことができる。
【００２０】
本発明の印刷ジョブ送信装置用プログラムは、
コンピュータを、通信線を介して接続された画像形成装置へ印刷ジョブを送信する印刷ジョブ送信装置として機能させるプログラムであって、
送信する印刷ジョブに設定されている画質に関する画質設定情報に基づいて前記画像形成装置によるプロセスコントロールの実行を制限するか否かを判定する判定モジュールと、
該判定によりプロセスコントロールの実行を制限しないと判定されたときには前記印刷ジョブを前記画像形成装置に送信し該判定によりプロセスコントロールの実行を制限すると判定されたときには前記画像形成装置によるプロセスコントロールの実行を制限するためのプロコン制限用情報を伴って前記印刷ジョブを前記画像形成装置に送信する印刷ジョブ送信モジュールと、
を備えることを要旨とする。
【００２１】
この本発明の印刷ジョブ送信装置用プログラムでは、コンピュータを、送信する印刷ジョブに設定されている画質設定情報に応じてプロセスコントロールの実行を制限するか否かを判定し、実行を制限すると判定されたときにはプロセスコントロールの実行を制限するためのプロコン制限用情報を伴って印刷ジョブを画像形成装置に送信する、印刷ジョブ送信装置として機能させる。したがって、印刷ジョブの画質設定情報に応じてプロセスコントロールの実行の制限を画像形成装置に指示することができる。この結果、プロセスコントロールの実行制限をより容易に行なうことができる。
【発明を実施するための最良の形態】
【００２２】
次に、本発明を実施するための最良の形態を実施例を用いて説明する。
【実施例１】
【００２３】
図１は、本発明の一実施例としての画像形成装置として機能するカラーレーザプリンタ２０の構成の概略を示す構成図である。実施例のカラーレーザプリンタ２０は、単一感光体方式と中間転写方式とを採用したフルカラーの電子写真方式の画像形成装置として構成されており、図示するように、感光体２１を均一の電位に帯電させる帯電ローラ２２と、シアン（Ｃ）、マゼンタ（Ｍ）、イエロー（Ｙ）、ブラック（Ｋ）の４色に色分解された各色の画像を帯電された感光体２１上にレーザを照射して静電潜像として形成する露光器２３と、装着された各色のトナーカートリッジ２４Ｃ，２４Ｍ，２４Ｙ，２４Ｋから供給される各色のトナーを用いて感光体２１上に形成された静電潜像をトナー像として現像する現像器２４と、感光体２１上に現像された各色のトナー像を転写ベルト２５に重ねて転写してカラートナー像を形成する一次転写ユニット２６と、用紙カセット２７から用紙を搬送する搬送ユニット２８と、搬送された用紙に転写ベルト２５上に形成されたカラートナー像を転写する二次転写ユニット２９と、用紙上に転写されたカラートナー像を用紙に融着定着させて排紙する定着ユニット３０と、メッセージなどを表示すると共にユーザからの操作を受け付ける操作パネル３１と、こうしたカラーレーザプリンタ２０全体の動作を制御するコントローラ４０とを備え、図示しないクライアントコンピュータなどから送信される印刷ジョブを実行して用紙上に画像を形成する。
【００２４】
一次転写ユニット２６は、感光体２１との間に転写ベルト２５を挟持しながら感光体２１側に押圧して回転すると共に転写ベルト２５を感光体２１上のトナー像と逆極性に帯電させる転写ローラ３２を備え、この転写ローラ３２による押圧力と電界の作用でトナー像を転写ベルト６４に転写する。また、一次転写ユニット２６には、転写ベルト２５に転写されたトナー像に赤外光を照射して反射光の光量によりトナー濃度を検出するトナー濃度センサ３３が設けられている。
【００２５】
図２は、コントローラ４０の機能ブロックを示すブロック図である。コントローラ４０は、図示するように、ＣＰＵ４１やＲＡＭ４２，ＲＯＭ４３を中心としたマイクロプロセッサとして構成されており、ＲＡＭ４２には受け付けた印刷ジョブをスプールするスプール領域が設けられている。また、コントローラ４０には、前述したトナー濃度センサ３３で検出されたトナー濃度やその他の入力信号（例えば、操作者によるプリント指示信号など）が信号ラインを介して入力されるように構成されており、これらの入力信号に基づいて帯電ローラ駆動制御部４５や現像器駆動制御部４７，露光器駆動制御部４９，転写ローラ駆動制御部５１などを介して帯電ローラ２２や現像器２４，露光器２３，転写ローラ３２などのカラーレーザプリンタ２０の各部の動作を制御する。なお、感光体２１や露光器２３，現像器２４，搬送ユニット２８，二次転写ユニット２９，定着ユニット３０などについては、通常のカラーレーザプリンタやカラーの複写機と同様であるので、その詳細な説明は省略する。
【００２６】
次に、こうして構成された実施例のカラーレーザプリンタ２０の動作、特に形成されるトナー像のトナー濃度を調整するためのプロセスコントロールの実行を制限する動作について説明する。説明の都合上、まず、プロセスコントロールを実行する際の動作について説明し、次に、このプロセスコントロールの実行を制限する動作について説明する。図３は、コントローラ４０により実行されるプロセスコントロール実行処理の一例を示すフローチャートである。この処理は、予め設定されている実行条件が成立したときに実行される。この実行条件は、通常は、「起動時」や「省エネモードからの復帰時」，「印刷累積枚数が５０枚に達した時」などのタイミングで成立するものとして設定されており、後述するプロセスコントロール制限処理の中で変更される。実行条件の詳細については後述する。
【００２７】
プロセスコントロール実行処理では、まず、図示するように、シアン（Ｃ），マゼンダ（Ｍ），イエロー（Ｙ），ブラック（Ｋ）のそれぞれのトナーを用いて試験用のトナー像であるパッチトナー像Ｐｃ，Ｐｍ，Ｐｙ，Ｐｋを転写ベルト２５にそれぞれ形成し（ステップＳ１００）、形成されたパッチトナー像のトナー濃度をトナー濃度センサ３３により検出する（ステップＳ１１０）。パッチトナー像の形成は、実施例では、パッチトナー像に対応する画像データを予めＲＯＭ４３に記憶しておき、この画像データを読み込んで感光体２１に静電潜像として形成すると共に現像器２４により現像し、現像したパッチトナー像を転写ベルト２５に転写するものとした。
【００２８】
こうしてパッチトナー像のトナー濃度を検出すると、検出したトナー濃度に基づいてトナー像を形成する各部の動作を制御する制御パラメータ（例えば、感光体２１の帯電電位や露光器２３の露光量，現像器２４の現像バイアス，転写ローラ３２の転写電位など）を設定してＲＡＭ４２に書き込んで（ステップＳ１２０）、このプロセスコントロール実行処理を終了する。実施例では、検出されたトナー濃度と設定する制御パラメータの値との関係を実験などで定めて制御パラメータ設定マップとして予めＲＯＭ４３に記憶しておき、トナー濃度が検出されると、検出されたトナー濃度に対応する制御パラメータの値を導出して設定するものとした。こうしてＲＡＭ４２に書き込まれた制御パラメータに従ってカラーレーザプリンタ２０は動作し、温度や湿度などの動作環境の変動などに拘わらず、より適切なトナー濃度のトナー像が形成されるようになっている。
【００２９】
次に、プロセスコントロールの実行を制限するプロセスコントロール制限処理について説明する。図４は、プロセスコントロール制限処理の一例を示すフローチャートである。この処理は、待機中の印刷ジョブがない状態で新たに印刷ジョブを受け付けたときにコントローラ４０により実行される。
【００３０】
プロセスコントロール制限処理では、まず、図示するように、受け付けた印刷ジョブの設定情報を取得し（ステップＳ２００）、この取得した設定情報に基づいて、印刷ジョブがトナーセーブモードとして設定されていたり、裏紙を用いた裏紙印刷モードとして設定されていたり、速度優先モードとして設定されていると判定されるときには、プロセスコントロールの実行条件として制限用条件を設定し、トナーセーブモードや裏紙印刷モード，速度優先モードとして設定されていないと判定されるときには、プロセスコントロールの実行条件として通常用条件を設定する（ステップＳ２１０〜Ｓ２５０）。図５は、通常用条件と制限用条件との一例を示す説明図である。図示するように、通常用条件は「起動時」や「省エネモードからの復帰時」，「印刷累積枚数が５０枚に達した時」に成立するものとして設定されており、制限用条件は、この通常用条件より成立し難い３パターンの条件が設定されている。制限用条件は、具体的には、「起動時」や「印刷累積枚数が１００枚に達した時」に成立するパターンと、「起動時」や「印刷累積枚数が２００枚に達した時」に成立するパターンと、常に成立しないパターンとが用意されており、これらのうちユーザにより予め選択されているパターンが制限用条件として用いられる。制限用条件の選択は、実施例では、操作パネル３１上に表示される図６に例示する制限用条件設定画面を介してユーザにより予め行なうものとした。
【００３１】
こうして実行条件として制限用条件や通常用条件が設定されると、印刷ジョブの実行が完了するまで待機し（ステップＳ２６０）、次に実行する印刷ジョブが存在する間は（即ち、ＲＡＭ４２のスプール領域に印刷ジョブがスプールされている間は）、ステップＳ２００に戻り、次に実行する印刷ジョブの設定情報に基づいて実行条件を設定して印刷ジョブの実行が完了するまで待機する処理を繰り返し実行する（ステップＳ２７０）。一方、次に実行する印刷ジョブが存在しないときには、実行条件として通常用条件が設定されている場合はこのまま処理を終了し、制限用条件が設定されている場合は所定時間（例えば、５秒など）待機して実行条件を通常用条件に設定し（ステップＳ２８０，Ｓ２９０）、処理を終了する。
【００３２】
ここで、こうしたプロセスコントロール制限処理によりプロセスコントロールの実行が制限される様子を具体例を用いて説明する。具体例では、制限用条件の３パターンのうち常に成立しないパターンが選択されているものとする。図７，８は、実行条件として通常用条件が設定される印刷ジョブ（即ち、トナーセーブモードや裏紙印刷モード，速度優先モードである印刷ジョブ）や制限用条件が設定される印刷ジョブ（即ち、トナーセーブモードや裏紙印刷モード，速度優先モードでない印刷ジョブ）の実行中に印刷累積枚数が５０枚に達する場合の例である。通常用条件が設定される印刷ジョブの場合には、図７に示すように、印刷累積枚数が５０枚に達した時に実行条件としての「印刷累積枚数が５０枚に達した時」が成立し、印刷ジョブの実行を中断してプロセスコントロールが実行される。一方、制限用条件が設定される印刷ジョブの場合には、図８に示すように、印刷ジョブの実行中はプロセスコントロールが実行されず、印刷ジョブの実行が完了してから所定時間経過後に、実行条件として通常用条件が設定されプロセスコントロールが実行される。このように、トナーセーブモードや裏紙印刷モード，速度優先モードである印刷ジョブは、比較的、高画質の画像を形成する必要はないと考えられるから、印刷ジョブの実行が完了するまでプロセスコントロールの実行を制限して、印刷完了までの時間短縮を図るのである。なお、制限用条件が設定される印刷ジョブの実行が完了してから所定時間経過後に実行条件として通常用条件を設定するのは、制限用条件が設定される複数の印刷ジョブが間隔を空けて実行される場合であっても、所定時間より短い間隔であれば連続してプロセスコントロールの実行を制限する方が望ましいと考えられることに基づく。
【００３３】
図９は、制限用条件が設定される印刷ジョブの実行中に印刷累積枚数が５０枚に達し、その後、連続して複数の印刷ジョブを実行する場合の例である。この場合、最初の印刷ジョブの実行中に印刷累積枚数が５０枚に達するものの、制限用条件が設定される印刷ジョブが連続して実行される間はプロセスコントロールが実行されず、通常用条件が設定される印刷ジョブを実行する際に、実行条件として通常用条件が設定されプロセスコントロールが実行される。このように、制限用条件が設定される印刷ジョブを連続して実行する間はプロセスコントロールの実行を連続して制限して印刷完了までの時間短縮を図り、通常用条件が設定される印刷ジョブを実行する際に、プロセスコントロールを実行して高画質の画像が形成されるようにするのである。
【００３４】
図１０は、制限用条件が設定される印刷ジョブを受け付けたときに省エネモードから復帰する場合の例である。この場合、図８の例と同様に、印刷ジョブの実行中はプロセスコントロールが実行されず、印刷ジョブの実行完了後、所定時間経過後にプロセスコントロールが実行される。
【００３５】
以上説明した実施例のカラーレーザプリンタ２０によれば、受け付けた印刷ジョブがトナーセーブモードや裏紙印刷モード，速度優先モードであると判定されるときにはプロセスコントロールの実行条件として通常用条件よりも成立し難い制限用条件を設定することにより印刷ジョブの実行が完了するまでプロセスコントロールの実行を制限することができる。即ち、印刷ジョブの設定情報に基づいてプロセスコントロールの実行を制限することができ、この結果、プロセスコントロールの実行制限をより容易に行なうことができる。もとより、プロセスコントロールの実行を制限することにより、印刷完了までの時間短縮を図ると共にトナーの消費や各ユニットの劣化などを抑制することができる。また、制限用条件が設定される印刷ジョブの実行が完了してから所定時間経過後に実行条件として通常用条件を設定するから、制限用条件が設定される複数の印刷ジョブが間隔を空けて実行される場合であっても所定時間より短い間隔であれば連続してプロセスコントロールの実行を制限することができる。さらに、制限用条件を３パターン用意し、操作パネル３１上に表示される制限用条件設定画面を介してユーザにより選択することができる。この結果、ユーザは、プロセスコントロールの実行の制限の程度を変更することができる。
【００３６】
ここで、実施例のカラーレーザプリンタ２０では、プロセスコントロール実行処理を実行するコントローラ４０がプロコン実行手段に相当し、プロセスコントロール制限処理のステップＳ２００〜Ｓ２３０を実行するコントローラ４０が判定手段に相当し、プロセスコントロール制限処理のステップＳ２４０〜Ｓ２９０を実行するコントローラ４０がプロコン制限手段に相当し、操作パネル３１が制限用条件設定手段に相当する。
【実施例２】
【００３７】
次に本発明の第２実施例としての画像形成システム１０について説明する。図１１は、画像形成システム１０のシステム構成の概略を示す構成図である。画像形成システム１０は、図１１に示すように、本発明の印刷ジョブ送信装置として機能するクライアントコンピュータ１００と、クライアントコンピュータ１００と通信ケーブルを介して接続されたカラーレーザプリンタ２０Ｂとを備え、クライアントコンピュータ１００から送信される印刷ジョブをカラーレーザプリンタ２０Ｂで実行することにより用紙などに画像を形成する。クライアントコンピュータ１００は、図示するように、ＣＰＵ１０１やＲＯＭ１０２，ＲＡＭ１０３，ＨＤＤ１０４を中心とした汎用のコンピュータとして構成されており、ＨＤＤ１０４には、カラーレーザプリンタ２０Ｂにより実行可能な印刷ジョブを生成するためのプリンタドライバがインストールされている。カラーレーザプリンタ２０Ｂは、第１実施例のカラーレーザプリンタ２０と同一のハード構成をしている。このため、第２実施例のカラーレーザプリンタ２０Ｂのハード構成については、第１実施例のカラーレーザプリンタ２０のハード構成と同一の符号を付し、その詳細な説明は省略する。
【００３８】
次に、こうして構成された画像形成システム１０の動作について説明する。まず、クライアントコンピュータ１００の動作について説明し、次に、カラーレーザプリンタ２０Ｂの動作について説明する。図１２は、クライアントコンピュータ１００のＣＰＵ１０１により実行される印刷ジョブ送信時処理の一例を示すフローチャートである。この処理は、プリンタドライバにより生成された印刷ジョブを送信する際に実行される。印刷ジョブ送信時処理では、第１実施例のプロセスコントロール制限処理のステップＳ２００〜Ｓ２３０と同様に、まず、送信する印刷ジョブの設定情報を取得し（ステップＳ３００）、この取得した設定情報に基づいて、印刷ジョブがトナーセーブモードとして設定されていたり、裏紙印刷モードとして設定されていたり、速度優先モードとして設定されていると判定されるときには、カラーレーザプリンタ２０Ｂに対してプロセスコントロールの実行制限を指示するための制限指示情報を印刷ジョブに付加して、印刷ジョブを送信する（ステップＳ３１０〜Ｓ３５０）。
【００３９】
次に、カラーレーザプリンタ２０Ｂの動作について説明する。カラーレーザプリンタ２０Ｂは、第１実施例のカラーレーザプリンタ２０と同様に、予め設定されている実行条件が成立したときに図３のプロセスコントロール実行処理を実行する。プロセスコントロール実行処理については前述した。
【００４０】
また、カラーレーザプリンタ２０Ｂでは、待機中の印刷ジョブがない状態で新たに印刷ジョブを受け付けたときに、図４のプロセスコントロール制限処理に代えて、図１３に例示するプロセスコントロール制限処理を実行する。即ち、受け付けた印刷ジョブに制限指示情報が付加されているか否かを判定し（ステップＳ２３５）、制限指示情報が付加されているときにはプロセスコントロールの実行条件として制限用条件を設定し、制限指示情報が付加されていないときにはプロセスコントロールの実行条件として通常用条件を設定する（ステップＳ２４０，Ｓ２５０）。そして、図４のプロセスコントロール制限処理のステップＳ２６０〜Ｓ２９０と同様に、印刷ジョブの実行が完了するまで待機し（ステップＳ２６０）、次に実行する印刷ジョブが存在する間は、ステップＳ２３５に戻り、次に実行する印刷ジョブの制限指示情報の有無に基づいて実行条件を設定して印刷ジョブの実行が完了するまで待機する処理を繰り返し実行し（ステップＳ２７０）、次に実行する印刷ジョブが存在しないときには、実行条件として通常用条件が設定されている場合はこのまま処理を終了し、制限用条件が設定されている場合は所定時間待機して実行条件を通常用条件に設定し（ステップＳ２８０，Ｓ２９０）、処理を終了する。
【００４１】
以上説明した第２実施例の画像形成システム１０によれば、クライアントコンピュータ１００により、送信する印刷ジョブがトナーセーブモードや裏紙印刷モード，速度優先モードであると判定されるときにはプロセスコントロールの実行制限を指示するための制限指示情報を付加して印刷ジョブを送信し、カラーレーザプリンタ２０Ｂでは、受信した印刷ジョブに制限指示情報が付加されているときにはプロセスコントロールの実行条件として通常用条件よりも成立し難い制限用条件を設定することにより印刷ジョブの実行が完了するまでプロセスコントロールの実行を制限することができる。即ち、印刷ジョブの設定情報に基づいてプロセスコントロールの実行を制限することができ、この結果、プロセスコントロールの実行制限をより容易に行なうことができる。もとより、プロセスコントロールの実行を制限することにより、印刷完了までの時間短縮を図ると共にトナーの消費や各ユニットの劣化などを抑制することができる。
【００４２】
ここで、第２実施例のクライアントコンピュータ１００では、ステップＳ３００〜Ｓ３３０の処理を実行するＣＰＵ１０１が判定手段に相当し、ステップＳ３４０，Ｓ３５０の処理を実行するＣＰＵ１０１が印刷ジョブ送信手段に相当する。また、第２実施例のカラーレーザプリンタ２０Ｂでは、印刷ジョブをＲＡＭ４２のスプール領域にスプールするコントローラ４０が印刷ジョブ受信手段に相当し、図１３のプロセスコントロール制限処理を実行するコントローラ４０がプロコン制限手段に相当する。
【００４３】
第１実施例のカラーレーザプリンタ２０では、印刷ジョブがトナーセーブモードや裏紙印刷モード，速度優先モードとして設定されているときにプロセスコントロールの実行条件として制限用条件を設定するものとしたが、印刷ジョブの画質に関する設定情報に基づいてプロセスコントロールの実行制限の要否を判定するものであればよく、トナーセーブモードや裏紙印刷モード，速度優先モードである場合に限られない。同様に、第２実施例のクライアントコンピュータ１００では、印刷ジョブがトナーセーブモードや裏紙印刷モード，速度優先モードとして設定されているときに制限指示情報を付加するものとしたが、トナーセーブモードや裏紙印刷モード，速度優先モードである場合に限られない。
【００４４】
第１実施例や第２実施例のカラーレーザプリンタ２０，２０Ｂでは、制限用条件として、「起動時」や「印刷累積枚数が１００枚に達した時」に成立するパターンと「起動時」や「印刷累積枚数が２００枚に達した時」に成立するパターンと常に成立しないパターンとを例示したが、通常用条件よりも成立し難い条件であれば、その他の条件であっても構わない。また、実行条件として、その他の基準（例えば、累積トナー使用量が所定量に達した時など）を用いるものとしても差し支えない。
【００４５】
第１実施例や第２実施例のカラーレーザプリンタ２０，２０Ｂでは、操作パネル３１上に表示される制限用条件設定画面を介して制限用条件を選択するものとしたが、ユーザにより制限用条件を選択できればよく、その手法は問わない。また、ユーザによる制限用条件の選択を行なわず、固定の制限用条件を設定するものとしても差し支えない。
【００４６】
第１実施例や第２実施例のカラーレーザプリンタ２０，２０Ｂでは、制限用条件が設定される印刷ジョブの実行が完了してから所定時間経過後に実行条件として通常用条件を設定するものとしたが、所定時間経過するのを待機することなく、実行条件として通常用条件を設定するものとしても構わない。
【００４７】
第１実施例や第２実施例のカラーレーザプリンタ２０，２０Ｂでは、制限用条件が設定される印刷ジョブを連続して実行する間はプロセスコントロールの実行を連続して制限するものとしたが、印刷ジョブの実行が完了してから次の印刷ジョブを実行するまでのタイミングでは、プロセスコントロールの実行の制限を行なわないものとしても構わない。この場合、制限用条件が設定される印刷ジョブの実行が完了したときに、一旦、実行条件を通常用条件に設定するようにすればよい。
【００４８】
第１実施例や第２実施例のカラーレーザプリンタ２０，２０Ｂでは、通常用条件より成立し難い制限用条件を設定することによりプロセスコントロールの実行を制限するものとしたが、プロセスコントロールの実行を制限することができれば、その手法は問わないのは勿論である。
【００４９】
第１実施例では、印刷ジョブの設定情報に基づいてプロセスコントロールの実行を制限するカラーレーザプリンタ２０の形態として説明したが、こうした画像形成装置の制御方法の形態としてもよい。
【００５０】
第２実施例では、印刷ジョブの設定情報に基づいてプロセスコントロールの実行制限を指示するための制限指示情報を付加して印刷ジョブを送信するクライアントコンピュータ１００の形態として説明したが、コンピュータに図１２の印刷ジョブ送信時処理を実行させる印刷ジョブ送信装置用プログラムの形態としてもよい。この場合、印刷ジョブ送信装置用プログラムとプリンタドライバとを一体として構成するものとしてもよい。
【００５１】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【００５２】
【図１】カラーレーザプリンタ２０の構成の概略を示す構成図。
【図２】コントローラ４０の機能ブロックを示すブロック図。
【図３】プロセスコントロール実行処理の一例を示すフローチャート。
【図４】プロセスコントロール制限処理の一例を示すフローチャート。
【図５】通常用条件と制限用条件との一例を示す説明図。
【図６】制限用条件設定画面の一例を示す説明図。
【図７】プロセスコントロールの実行が制限される様子の具体例を示す説明図。
【図８】プロセスコントロールの実行が制限される様子の具体例を示す説明図。
【図９】プロセスコントロールの実行が制限される様子の具体例を示す説明図。
【図１０】プロセスコントロールの実行が制限される様子の具体例を示す説明図。
【図１１】第２実施例の画像形成システム１０のシステム構成の概略を示す構成図。
【図１２】第２実施例の印刷ジョブ送信時処理の一例を示すフローチャート。
【図１３】第２実施例のプロセスコントロール制限処理を示すフローチャート。
【符号の説明】
【００５３】
１０  画像形成システム、２０，２０Ｂ  カラーレーザプリンタ、２１  感光体、２２  帯電ローラ、２３  露光器、２４  現像器、２５  転写ベルト、２６  一次転写ユニット、２７  用紙カセット、２８  搬送ユニット、２９  二次転写ユニット、３０  定着ユニット、３１  操作パネル、３２  転写ローラ、３３  トナー濃度センサ、４０  コントローラ、４１  ＣＰＵ、４２  ＲＡＭ、４３  ＲＯＭ、４５  帯電ローラ駆動制御部、４７  現像器駆動制御部、４９  露光器駆動制御部、５１  転写ローラ駆動制御部、１００  クライアントコンピュータ、１０１  ＣＰＵ、１０２  ＲＯＭ、１０３  ＲＡＭ、１０４  ＨＤＤ。
【図１】
2006010975.tif 000003
【図２】
2006010975.tif 000004
【図３】
2006010975.tif 000005
【図４】
2006010975.tif 000006
【図５】
2006010975.tif 000007
【図６】
2006010975.tif 000008
【図７】
2006010975.tif 000009
【図８】
2006010975.tif 000010
【図９】
2006010975.tif 000011
【図１０】
2006010975.tif 000012
【図１１】
2006010975.tif 000013
【図１２】
2006010975.tif 000014
【図１３】
2006010975.tif 000015